(57)【要約】【課題】画像データＶｄａｔａと終端電圧Ｖｔｔとの間に生じる電力を減少させることができる投射型表示装置を提供する。【解決手段】投射領域および投射対象領域の画像データを取得する画像データ取得手段と、画像データ取得手段より取得された位置データから投射領域、投射対象領域および非投射領域を抽出する領域抽出手段と、抽出された投射領域、投射対象領域および非投射領域の画素を特定する座標変換部と、投射領域と投射対象領域を比較する領域比較部と、領域比較部の比較結果に基づいて画像データを切り替える画像データ切り替え部と、画像データ切り替え部で処理された画像データを表示装置の駆動回路に入力する画像データ入力部と、を備え、画像データ入力部は抵抗を介して終端電圧で終端されており、  投射対象領域が投射領域に対して狭い場合に、非投射領域の画素の画像データと終端電圧の値を等しくする。【選択図】図３
2019078961.tif 000002
【特許請求の範囲】
【請求項１】
投射領域および投射対象領域の画像データを取得する画像データ取得手段と、
前記画像データ取得手段より取得された位置データから前記投射領域、前記投射対象領域および非投射領域を抽出する領域抽出手段と、
抽出された前記投射領域、前記投射対象領域および前記非投射領域の画素を特定する座標変換部と、
前記投射領域と前記投射対象領域を比較する領域比較部と、
前記領域比較部の比較結果に基づいて画像データを切り替える画像データ切り替え部と、
前記画像データ切り替え部で処理された画像データを表示装置の駆動回路に入力する画像データ入力部と、
を備え、
前記画像データ入力部は抵抗を介して終端電圧で終端されており、
前記投射対象領域が前記投射領域に対して狭い場合に、前記非投射領域の画素の画像データと前記終端電圧の値を等しくすることを特徴とする投射型表示装置。
【請求項２】
撮像手段と、
前記撮像手段によって撮像された被投射物を含む撮像データを取得する撮像データ取得手段と、
前記撮像データ取得手段より取得された撮像データから投射領域、投射対象領域および非投射領域を抽出する領域抽出手段と、
抽出された前記投射領域、前記投射対象領域および前記非投射領域の画素を特定する座標変換部と、
前記投射領域と前記投射対象領域を比較する領域比較部と、
前記領域比較部の比較結果に基づいて画像データを切り替える画像データ切り替え部と、
前記画像データ切り替え部で処理された画像データを表示装置の駆動回路に入力する画像データ入力部と、
を備え、
前記画像データ入力部は抵抗を介して終端電圧で終端されており、
前記投射対象領域が前記投射領域に対して狭い場合に、前記非投射領域の画素の画像データと前記終端電圧の値を等しくすることを特徴とする投射型表示装置。  
【請求項３】
前記終端電圧と前記画像データ入力部の間に、画像データ切り替え部からの信号によって制御されるスイッチを設け、
前記投射対象領域が前記投射領域に対して狭い場合に、前記スイッチを制御することで、前記非投射領域の画素の画像データと前記終端電圧の値を等しくすることを特徴とする請求項１または２に記載の投射型表示装置。
【発明の詳細な説明】
【技術分野】
【０００１】
本発明は、電気光学的変化によって画像表示を行う液晶ディスプレイ等の表示装置を搭載した、投射型表示装置に関する。
【背景技術】
【０００２】
一般的に、ＤＤＲＳＤＲＡＭ（Ｄｏｕｂｌｅ  Ｄａｔａ  Ｒａｔｅ  Ｓｙｎｃｈｒｏｎｏｕｓ  Ｄｙｎａｍｉｃ  Ｒａｎｄｏｍ  Ａｃｃｅｓｓ  Ｍｅｍｏｒｙ）の入出力のインターフェイスとしてＳＳＴＬ（Ｓｔｕｂ  Ｓｅｒｉｅｓ  Ｔｅｒｍｉｎａｔｉｏｎ  Ｌｏｇｉｃ）規格が採用されている。ＳＳＴＬを採用したＤＤＲＳＲＡＭの回路信号線路は、各データ信号線が所定電圧に所定抵抗で接続されることで、波形の乱れが少ない高速転送を実現している。
【０００３】
波形品質の確保と消費電力の低減とを両立する電子機器として、特許文献１に記載のものがある。特許文献１によれば、データ信号線に終端抵抗が接続された回路構成を有する電子機器において、データ処理手段と、データ処理手段の主記憶装置となる１つ以上のデータ記憶手段と、データ処理手段とデータ記憶手段とを接続するデータ信号線に終端抵抗を介して終端電圧を印加する終端電圧生成手段と、データ信号線と終端抵抗との間に接続される通電遮断手段とを有する。そして、データ処理手段はデータ記憶手段の構成を検知し、その検知結果に基づいて、通電遮断手段によりデータ信号線と終端抵抗との間を通電させて終端抵抗を有効にし、又はデータ信号線と終端抵抗との間を遮断して終端抵抗を無効にすることを特徴とするものである。
【０００４】
これにより、ＳＳＴＬ−２規格を採用するＤＤＲＳＤＲＡＭにおいて、ＤＩＭＭ（Ｄｕａｌ  Ｉｎｌｉｎｅ  Ｍｅｍｏｒｙ  Ｍｏｄｕｌｅ）の構成が変化しない、もしくは、終端抵抗が無くても信号品質がデバイス規格を満足する場合に終端抵抗を無効にすることで、余計な消費電力を低減することを可能としている。
【０００５】
また、近年、投射型表示装置の使用方法として、プロジェクションマッピングが普及している。プロジェクションマッピングとは、投射型表示装置などの様な映写機器を用い、建物や物体、あるいは空間などに対してパソコンで作成したＣＧなどを映し出す技術である。立体形状モデルに物体の表面テクスチャを効果的に表現することができる立体表示装置として、特許文献２に記載のものがある。
【０００６】
立体形状モデルと、前記立体形状モデルの側面に配置された反射ミラーと、前記立体形状モデルの上面および側面の表面テクスチャの画像情報を格納する制御装置と、前記制御装置からの画像情報に基づいて前記立体形状モデルの上面の表面テクスチャ画像を前記立体形状モデルの上面に投影する。そして、前記立体形状モデルの側面の表面テクスチャ画像は前記反射ミラーを介して前記立体形状モデルの側面に投影するプロジェクタとを備えた立体表示装置により達成される。
【先行技術文献】
【特許文献】
【０００７】
【特許文献１】特開２００９−２１７２９７号公報
【特許文献２】特開２００６−３３８１８１号公報
【発明の概要】
【発明が解決しようとする課題】
【０００８】
投射型表示装置の投射面は、四角の形状のスクリーンが一般的であり、使用方法としては、投射面に対して投射領域が十分に収まるように投射するのが一般的である。ただし、近年ではプロジェクションマッピングの普及により、投射面の形状は不特定となる機会が増えており、使用方法も投射面に対して投射領域が十分に収まらない場合も増えてきている。
【０００９】
例えば、特許文献２では、「前記プロジェクタにより投影される画像は、前記立体形状モデルの上面の表面テクスチャ画像と、前記上面の表面テクスチャ画像のまわりに配置された前記立体形状モデルの側面の表面テクスチャ画像とを含むことができる。この場合、前記プロジェクタにより投影される画像の、前記上面の表面テクスチャ画像および側面の表面テクスチャ画像以外の部分は、黒くされていることが好ましい。」との記載がある。
【００１０】
また、ＳＳＴＬを採用したＤＤＲＳＲＡＭの回路信号線路は、各データ信号線が所定電圧に所定抵抗で接続されることで、波形の乱れが少ない高速転送を実現している。この構成の場合、データの書き換えを行うたびに、所定抵抗の両端に電位差が生じるため電力が発生してしまう。たとえば特許文献２に記載のように、表示したい画像以外の部分を黒くする場合でも、データの書き換えを行うことになるため、電力を消費してしまう。
【００１１】
本発明は上記課題に鑑みてなされたものであり、その目的は、画像データを表示装置の駆動回路に入力する画像データ入力部に抵抗を介して終端電圧Ｖｔｔで終端された表示装置において、投射対象領域が投射領域に対して狭い場合に、非投射領域の画素の画像データＶｄａｔａと前記終端電圧Ｖｔｔの値を等しくすることで、画像データＶｄａｔａと終端電圧Ｖｔｔとの間に生じる電力を減少させることができる投射型表示装置を提供することにある。
【課題を解決するための手段】
【００１２】
上記目的を達成するため、本発明に係る投射型表示装置は、投射領域および投射対象領域の画像データを取得する画像データ取得手段と、前記画像データ取得手段より取得された位置データから前記投射領域、前記投射対象領域および非投射領域を抽出する領域抽出手段と、抽出された前記投射領域、前記投射対象領域および前記非投射領域の画素を特定する座標変換部と、前記投射領域と前記投射対象領域を比較する領域比較部と、前記領域比較部の比較結果に基づいて画像データを切り替える画像データ切り替え部と、前記画像データ切り替え部で処理された画像データを表示装置の駆動回路に入力する画像データ入力部と、を備え、前記画像データ入力部は抵抗を介して終端電圧で終端されており、
前記投射対象領域が前記投射領域に対して狭い場合に、前記非投射領域の画素の画像データと前記終端電圧の値を等しくすることを特徴とする。
【００１３】
また、本発明に係る別の投射型表示装置は、撮像手段と、前記撮像手段によって撮像された被投射物を含む撮像データを取得する撮像データ取得手段と、前記撮像データ取得手段より取得された撮像データから投射領域、投射対象領域および非投射領域を抽出する領域抽出手段と、抽出された前記投射領域、前記投射対象領域および前記非投射領域の画素を特定する座標変換部と、前記投射領域と前記投射対象領域を比較する領域比較部と、前記領域比較部の比較結果に基づいて画像データを切り替える画像データ切り替え部と、前記画像データ切り替え部で処理された画像データを表示装置の駆動回路に入力する画像データ入力部と、を備え、前記画像データ入力部は抵抗を介して終端電圧で終端されており、前記投射対象領域が前記投射領域に対して狭い場合に、前記非投射領域の画素の画像データと前記終端電圧の値を等しくすることを特徴とする。
【発明の効果】
【００１４】
本発明によれば、画像データＶｄａｔａと終端電圧Ｖｔｔとの間に生じる電力を減少させることができる投射型表示装置を提供することができる。
【図面の簡単な説明】
【００１５】
【図１】電気光学表示装置の構成の概略を表すブロック図である。
【図２】液晶表示パネルの構成を表すブロック図である。
【図３】第１の実施形態に関わるパネル制御回路の構成を表すブロック図である。
【図４】終端電圧Ｖｔｔ生成部の構成を表すブロック図である。
【図５】第１の実施形態に関わる画像データＶｄａｔａの設定フローを表す図である。
【図６】第２の実施形態に関わるパネル制御回路の構成を表すブロック図である。
【図７】第２の実施形態に関わる画像データＶｄａｔａの設定フローを表す図である。
【図８】第３の実施形態に関わるパネル制御回路の構成を表すブロック図である。
【図９】第３の実施形態に関わる画像データＶｄａｔａの設定フローを表す図である。
【図１０】本発明の第４の実施形態に関わるパネル制御回路の構成を表すブロック図である。
【図１１】第４の実施形態に関わる画像データＶｄａｔａの設定フローを表す図である。
【図１２】投射機の被投射物に対する投射範囲及び撮像範囲を表す図である。
【図１３】電気光学表示装置におけるランプ電圧を表す図である。
【図１４】電気光学表示装置における水平走査時のＨＳとＨＣＬＫとＤＡＴＡのタイミングを表す図である。
【図１５】電気光学表示装置におけるＨＳとＣＣＬＫとＣＲＳＴのタイミングを表す図である。
【図１６】本発明の実施形態に関わり、画像データ切り替え部２０５の結果に応じて変化する画像データＶｄａｔａと終端電圧Ｖｔｔの関係を表す図である。
【発明を実施するための形態】
【００１６】
（第１の実施形態）
図１は、本実施形態に関わる電気光学表示装置の構成の概略を表すブロック図である。電気光学表示装置は、表示部としての液晶表示パネル１００、パネル制御回路２００、ランプ電圧（ＲＶ）生成回路３００により構成されている。
【００１７】
パネル制御回路２００で生成された電圧及び各種駆動信号、ランプ電圧（ＲＶ）生成回路３００で生成されたランプ電圧（ＲＶ）１３１は、図１のように液晶表示パネル１００に入力される。液晶表示パネル１００は、複数の画素（ここでは、例としてＸＧＡ解像度に対応する水平１０２４画素×垂直７６８画素とする）を含む表示領域１３０にて画像を表示する。
【００１８】
図２は、本実施形態に関わる液晶表示パネルの構成を表すブロック図である。Ｈ駆動回路１１０内のインプットデータレジスタ１１１は、パネル制御回路２００で処理された画像データＶｄａｔａを順次受けて、Ｎ＋１ライン分の画像データＶｄａｔａを記憶する。ここで、画像データ入力部１４０は図２に示すように抵抗を介して終端電圧Ｖｔｔに終端されている。
【００１９】
これにより、入力された画像データＶｄａｔａを基準電圧Ｖｒｅｆと比較し、基準電圧Ｖｒｅｆより画像データＶｄａｔａが高ければ１、低ければ０としてインプットデータレジスタ１１１に入力することができる。ただし、画像データＶｄａｔａを入力するたびに、画像データ入力部と終端電圧Ｖｔｔ端子との間に電流が流れるため電力が発生する。この電力を抑えるために、上述のように、投射対象領域が投射領域に対して狭い場合に、非投射領域の画素の画像データＶｄａｔａと前記終端電圧Ｖｔｔの値を等しくする。
【００２０】
また、Ｈ駆動回路１１０内のデータメモリ１１２は、インプットデータレジスタ１１１で受けたＮライン目の画像データＶｄａｔａを記憶する。
【００２１】
データコンパレータ１１３はデータメモリ１１２に記憶している画像データＶｄａｔａと、データコンパレータ１１３に入力されるカウンタークロックであるＣＣＬＫのカウント値とを比較する。ＣＣＬＫは、Ｈ駆動回路１１０による画素電圧のサンプリングタイミングを制御するためのサンプリングクロックに相当する。ＳＷコントローラ１１４は、データコンパレータ１１３からの出力をもとに、データ電圧線スイッチとしてのアナログＳＷ１３３のスイッチングを行うＳＷ信号１３２を、アナログＳＷ１３３をＯＮ／ＯＦＦ可能な電圧に変換して出力する。
【００２２】
ランプ電圧（ＲＶ）生成回路３００は、複数本のビデオ線１３４に供給可能なサンプリング用電圧としてのランプ電圧（ＲＶ）１３１を生成する。そして、アナログＳＷ１３３のオン／オフは、表示領域１３０に垂直方向に延びるように配線された複数本のデータ電圧線としてのビデオ線１３４に対するランプ電圧（ＲＶ）１３１の供給を制御する。なお、ＸＧＡでは、１０２４本のビデオ線１３４が表示領域１３０に含まれており、ビデオ線１３４ごとにアナログＳＷ１３３が設けられている。
【００２３】
Ｖシフトレジスタ１２０は、パネル制御回路２１０からのＶＳ信号とＶＣＬＫ信号を受けて、表示領域１３０に水平方向に延びるように配線された複数本の水平走査線１３５へのＶ走査信号（選択電圧）の出力を制御する。なお、ＸＧＡでは、７６８本の水平走査線１３５が表示領域１３０に含まれる。詳しくは後述するが、ランプ電圧（ＲＶ）１３１は、１本の水平走査線１３５にＶ走査信号が印加される期間において（ここでは単調増加で）変化するように生成される。Ｖシフトレジスタ１２０およびアナログＳＷ１３３によって電圧サンプリング部が構成される。
【００２４】
各水平走査線（１本の走査線）１３５と各ビデオ線（１本のデータ線）１３４とが交差する箇所には、画素スイッチング素子としての画素トランジスタ１３６、画素コンデンサ１３７および液晶（ＬＣ）１３８が設けられている。これら画素トランジスタ１３６、画素コンデンサ１３７および液晶（ＬＣ）１３８により１つの画素が構成される。また、液晶（ＬＣ）１３８を挟むように、不図示の画素電極と透明電極とが設けられている。
【００２５】
アナログＳＷ１３３を介してビデオ線１３４に供給されるランプ電圧（ＲＶ）１３１は、画素トランジスタ１３６のドレインに接続される。これにより、画素トランジスタ１３６のゲートが水平走査線１３５に接続され、水平走査線１３５からのＶ走査信号によって画素トランジスタ１３６のオン／オフ制御が行われる。画素コンデンサ１３７は、画素トランジスタ１３６のソースに接続され、ビデオ線１３４に印加されたランプ電圧を受けて、該ランプ電圧を液晶駆動電圧としてチャージする。
【００２６】
ビデオ線１３４は、画素トランジスタ１３６のソースに接続されるとともに、配線としてのビデオ線１３４自体がコンデンサ容量として機能し、画素コンデンサ１３７の容量より大きい容量（数百から数万倍）を構成する。また、画素コンデンサ１３７の他端は、所定電圧であるＶｃｏｍＣに接続されている。液晶（ＬＣ）１３８は、画素コンデンサ１３７にチャージされて不図示の画素電極に印加される液晶駆動電圧と、不図示の透明電極に印加される所定電圧であるＶｃｏｍＬとの差である電位差に応じて駆動される。
【００２７】
続いて、図１および図２を用いて、液晶表示パネル１００およびランプ電圧（ＲＶ）生成回路３００の動作について詳しく説明する。  前述したように、パネル制御回路２００は、画像データ入力を受けて画像データ設定やガンマ補正、色むら補正等の各種処理が行われた画像データＶｄａｔａを生成する。生成された画像データＶｄａｔａは、画像データＶｄａｔａを入力する際のクロックにより一旦、不図示のラインバッファまたはフレームバッファに記憶される。
【００２８】
そして、記憶された画像データＶｄａｔａは、不図示のＳＳＣ（Ｓｐｒｅａｄ  Ｓｐｅｃｔｒｕｍ  Ｃｌｏｃｋ）にて周波数拡散された原クロックに応じた周期で読み出される。この結果、ＣＣＬＫと画像データＶｄａｔａとを同期化する。ＣＣＬＫに同期化された画像データＶｄａｔａは、ビデオ線１３４を介して液晶表示パネル１００のＨ駆動回路１１０に入力される。
【００２９】
Ｈ駆動回路１１０に入力された画像データＶｄａｔａは、Ｈ駆動回路１１０内のインプットデータレジスタ１１１に格納される。このときの様子を、図１４に示す。インプットデータレジスタ１１１は、画像データＶｄａｔａを、パネル制御回路２１０からの水平スタート信号であるＨＳ信号を起点として、水平走査クロックであるＨＣＬＫに同期してデータＤ１〜Ｄ１０２４として格納していく。
【００３０】
ＸＧＡ解像度では、水平方向の画像データＶｄａｔａとして１０２４個のデータ電圧を記憶する。データメモリ１１２は、インプットデータレジスタ１１１にて受けたＮライン目の画像データＶｄａｔａを記憶する。このとき、インプットデータレジスタ１１１には、次のラインであるＮ＋１ライン目の画像データＶｄａｔａが入力される。データコンパレータ１１３は、図１５に示すように、サンプリング制御回路２２０からＨＳ信号と同期して出力されるリセット信号としてのＣＲＳＴ信号を起点としてＣＣＬＫのカウントを行うカウンタを含む。
【００３１】
そして、データコンパレータ１１３は、データメモリ１１２に記憶されている画像データＶｄａｔａと、上記カウンタによるカウント値とを比較する。例えばデータが１０ビットの階調であり、Ｄ１の画像データＶｄａｔａが１００であるとすると、データコンパレータ１１３は、ＣＫ１００にてＳＷコントローラ１１４にコンパレータ出力を行う。また、例えば、Ｄ２のデータが４であるとすると、データコンパレータ１１３は、ＣＫ４にてＳＷコントローラ１１４にコンパレータ出力を行う。このようにして、データコンパレータ１１３は、水平方向に１０２４のコンパレータ出力を行うことが可能である。
【００３２】
ＳＷコントローラ１１４は、データコンパレータ１１３からの１０２４のコンパレータ出力を電圧変換し、１０２４個のアナログＳＷ１３３に対して制御信号を出力する。このアナログＳＷ１３３をオン／オフすることにより、ランプ電圧（ＲＶ）生成回路３００から出力されるランプ電圧（ＲＶ）１３１をビデオ線１３４に印加したり遮断したりする制御を行う。１０２４個のアナログＳＷ１３３は、ＣＲＳＴ信号により全てがオン状態となってランプ電圧（ＲＶ）１３１がビデオ線１３４に印加された状態としている。アナログＳＷ１３３はコンパレータ出力を受けるとオフ状態となり、ランプ電圧（ＲＶ）１３１がビデオ線１３４に印加されない状態（遮断状態）となる。
【００３３】
次に、ランプ電圧（ＲＶ）生成回路３００におけるランプ電圧の生成について説明するが、本実施形態ではランプ電圧（ＲＶ）生成回路３００が、デジタルデータをアナログ変換するＤ／Ａコンバータにより構成されている場合について説明する。タイミング生成２０９は、ランプ電圧（ＲＶ）生成回路３００であるＤ／Ａコンバータに、Ｄ／ＡＣＬＫとＤ／ＡＤＡＴＡとを入力する。
【００３４】
Ｄ／ＡＣＬＫは、Ｄ／Ａコンバータのデータ更新を行わせるクロックである。また、Ｄ／ＡＤＡＴＡは、Ｄ／ＡＣＬＫのクロック数に応じてインクリメントしていくデータであり、ランプ電圧（ＲＶ）のインクリメントを指示するデータである。これらＤ／ＡＣＬＫとＤ／ＡＤＡＴＡは、前述したＣＲＳＴ信号を起点として、ＣＬＫと同期してサンプリング制御回路２２０から出力される。
【００３５】
Ｄ／ＡＣＬＫとＤ／ＡＤＡＴＡがランプ電圧（ＲＶ）生成回路（Ｄ／Ａコンバータ）３００に入力されることで、例えば、ランプ電圧（ＲＶ）生成回路３００の階調を１０ｂｉｔとした場合には、ランプ電圧（ＲＶ）生成回路３００は１０２４の分解能にてランプ波形を生成する。この結果、Ｄ／Ａコンバータは、図１３に示すように、単調変化（ここでは単調増加）するランプ電圧を生成する。
【００３６】
すなわち、ランプ電圧（ＲＶ）生成回路３００から出力されるランプ電圧（ＲＶ）１３１は、ＣＲＳＴ信号の入力時点で所定の開始電圧となり、例えばＤ１においては図１３中に「Ｄ１：１００」で示す電圧としてビデオ線１３４に印加される。前述したようにランプ電圧（ＲＶ）生成回路３００の階調を１０ｂｉｔの１０２４分解能とし、０を最下位データとした場合において、ランプ電圧（ＲＶ）の最大電圧（Δ電圧）が４Ｖであるとするとき、「Ｄ１：１００」で示す電圧は、
｛（１００−１）／１０２３｝×４Ｖ＝０．３８７１Ｖ
となる。
【００３７】
このため、ランプ電圧（ＲＶ）の開始電圧に対して＋０．３８７１Ｖがビデオ線１３４に印加されることになる。また、ランプ電圧（ＲＶ）１３１は、例えばＤ２においては図１３中に「Ｄ２：４」で示す電圧としてビデオ線１３４に印加される。「Ｄ２：４」で示す電圧は、
｛（４−１）／１０２３｝×４＝０．０１１７Ｖ
となり、ランプ電圧（ＲＶ）の開始電圧に対して＋０．０１１７Ｖがビデオ線１３４に印加されることになる。
【００３８】
このようなランプ電圧（ＲＶ）からのサンプリングを行い、１０２４本のビデオ線１３４に対してサンプリングされた電圧を印加する。ビデオ線１３４に印加された電圧は、Ｖシフトレジスタ１２０から出力されるＶ走査信号によって、１ラインにおける１０２４個（Ｈ１〜Ｈ１０２４）の画素トランジスタ１３６のゲートに接続される。
【００３９】
これにより、１０２４個の画素トランジスタ１３６がオンになる。この画素トランジスタ１３６のオンにより、ビデオ線１３４と画素コンデンサ１３７は画素トランジスタ１３６を介して接続され、画素トランジスタ１３６にランプ電圧（ＲＶ）からサンプリングした液晶駆動電圧をチャージする。
【００４０】
こうして、Ｈ１〜Ｈ１０２４の画素コンデンサ１３７にそれぞれチャージされた液晶駆動電圧により、液晶（ＬＣ）１３８を駆動する。パネル制御回路２１０から垂直走査スタート信号ＶＳと垂直走査クロック信号ＶＣＬＫを受けたＶシフトレジスタ１２０は、水平走査線１３５に出力されるＶ走査信号を、クロックＶＣＬＫごとに垂直方向にＶ１からＶ７６８まで順次走査する。この走査により、液晶表示パネル１００の表示領域１３０の全画素に対して、液晶駆動電圧の書き込み（チャージ）制御を行うことができる。そして、透明電極に印加されるＶｃｏｍＬと画素電極に印加される液晶駆動電圧との差に応じて液晶（ＬＣ）１３８が駆動され、表示領域１３０に画像が表示される。
【００４１】
以下、本実施形態について、より具体的に図３、４、５、１６を参照しながら説明する。図３は、本実施形態に関わるパネル制御回路の構成を表すブロック図である。パネル制御回路２００において、パネルを駆動するために必要な各種駆動信号の生成や画像データＶｄａｔａの設定及び補正、終端電圧Ｖｔｔ／基準電圧Ｖｒｅｆの生成などを行う。図４は、本実施形態に関わる終端電圧Ｖｔｔ生成部の構成を表すブロック図である。図５は、本実施形態に関わる画像データＶｄａｔａの設定フローを表す図である。
【００４２】
図５に示すように、まず投射型表示装置４００（図１２）から被投射物４０１に映像を投射する（図５（１））。続いて、画像取得部２０１により、投射領域および投射対象領域の画像を取得する（図５（２））。領域抽出部２０２において、画像取得部２０１で取得した画像から投射対象領域４０１、投射領域４０２を抽出する（図５（３））。領域比較部２０３において、領域抽出部２０２で抽出した投射対象領域４０１と投射領域４０２を比較する（図５（４））。
【００４３】
投射対象領域４０１が投射領域４０２より広い場合、すべての画素の画像データＶｄａｔａを書き換える。このとき終端電圧Ｖｔｔの値はＶｔｔ生成部２０５において、Ｈｉ電圧とＬｏｗ電圧の中間電圧値である標準電圧に設定される。
【００４４】
一方、投射対象領域４０１が投射領域４０２より狭い場合、座標変換部２０４において非投射領域４０３の画素の座標を抽出する。（図５（５））画像データ切り替え部２０３において、非投射領域の画素の画像データＶｄａｔａをＬｏｗ電圧もしくはＨｉ電圧に書き換える。（図５（６））終端電圧Ｖｔｔ生成部２０５においてデータ電圧Ｖｄａｔａに対応したＬｏｗ電圧もしくはＨｉ電圧を生成し、選択する（図４、図５（７））。
【００４５】
このように、非投射領域４０３の画素の画像データＶｄａｔａと終端電圧Ｖｔｔの値を等しくすることで、画像データ入力部１４０における抵抗部両端の電位差により発生する不要な電力を削減することができ、省電力化することができる。
【００４６】
図１６は、画像データ切り替え部２０５の結果に応じて変化する画像データＶｄａｔａと終端電圧Ｖｔｔの関係を表す図である。図１６を用いて、本実施形態における画像データＶｄａｔａと終端電圧Ｖｔｔの関係について説明する。図１６（Ａ）は、本実施形態を実施する前の画像データＶｄａｔａと終端電圧Ｖｔｔの関係を表している。
【００４７】
本実施形態を実施する前については、画像データ切り替え部２０５において画像データＶｄａｔａの切り替えを行わず、図１６（Ａ）のように毎フレーム（Ｎフレーム、Ｎ＋１フレーム、Ｎ＋２フレーム・・・）、各画素の画像データＶｄａｔａをＨｉ電圧もしくはＬｏｗ電圧とすることで、画像データＶｄａｔａの書き替えを行う。
【００４８】
ここで述べる１フレーム期間とは、例えば、液晶表示パネル１００をＸＧＡ解像度に対応する水平１０２４画素×垂直７６８画素とした場合、水平１０２４画素×垂直７６８画素全てのデータ電圧を入力する期間と定義する。以上のように、画像データＶｄａｔａを書き替える画素はある値に設定された終端電圧Ｖｔｔに対して、画像データＶｄａｔａが大きいか、小さいかによって画像データ入力部１４０に入力する画像データＶｄａｔａを決定する。このとき画像データ入力部１４０の終端抵抗の両端に電力が発生する。
【００４９】
一方、本実施形態については、投射対象領域４０１が投射領域４０２に対して狭い場合に非投射領域４０３の画素の画像データに対して、画像データ切り替え部２０５において画像データＶｄａｔａの切り替えを行い、終端電圧Ｖｔｔ生成部２０６において終端電圧の切り替えを行う。図１６（Ｂ）のように毎フレーム（Ｎフレーム、Ｎ＋１フレーム、Ｎ＋２フレーム・・・）、各画素の画像データＶｄａｔａと終端電圧Ｖｔｔの電圧を等しくする。
【００５０】
これにより、画像データ入力部１４０の終端抵抗の両端の電位差により発生する電力をなくすことができる。このとき画像データ入力部１４０に入力される画像データＶｄａｔａは不定となるが、非投射領域４０３に投射される画像であるため、問題とならない。仮に問題となる場合には、ＳＷコントローラによる制御でアナログＳＷ１３３をオフすることにより、ランプ電圧生成回路３００から出力されるランプ電圧（ＲＶ）１３１をビデオ線１３４に印加させないようにする。
【００５１】
図３の基準電圧Ｖｒｅｆ生成部２０８から生成する基準電圧Ｖｒｅｆは、例えば画像データＶｄａｔａの最大値と最小値の中間電位とする。図３に示すように、終端電圧Ｖｔｔ生成部２０６から生成する終端電圧Ｖｔｔ及び基準電圧Ｖｒｅｆ生成部２０８から生成する基準電圧Ｖｒｅｆを画像データ入力部１４０に入力する。
【００５２】
続いて、画像データ切り替え部２０５において、領域比較部２０３、座標変換部２０４の結果に基づいて画像データＶｄａｔａの切り替えを行う。切り替えた画像データＶｄａｔａはガンマ、色ムラ補正回路２０７において、ガンマや色ムラ補正を行う。補正された画像データＶｄａｔａは画像データ入力部１４０に入力される。また、タイミング生成回路２０９において、各種駆動信号波形が生成される。生成された各種駆動信号波形はＨ駆動回路１１０、ランプ電圧（ＲＶ）生成回路３００、Ｖシフトレジスタ１２０に入力される。
【００５３】
ただし、本実施形態の電気光学表示装置の構成、投射型表示装置の構成、駆動方法、信号タイミングは、上記のものに限定しない。
【００５４】
（第２の実施形態）
以下、本発明の第２の実施形態について図４、６、７、１２、１６を参照しながら説明する。図６は、本実施形態に関わるパネル制御回路の構成を表すブロック図である。パネル制御回路２００において、パネルを駆動するために必要な各種駆動信号の生成や画像データＶｄａｔａの設定及び補正、終端電圧Ｖｔｔ／基準電圧Ｖｒｅｆの生成などを行う。図４は、本実施形態に関わる終端電圧Ｖｔｔ生成部の構成を表すブロック図である。また、図７は、本実施形態に関わる画像データＶｄａｔａの設定フローを表す図である。また、図１２は、投射型表示装置の投射対象物に対する投射領域及び撮像領域を表す図である。
【００５５】
図７に示すように、まず投射型表示装置４００から被投射物４０１に映像を投射する（図７（１））。続いて、被投射物４０１を投射型表示装置４００の撮像手段により撮像する  （図７（２））。投射型表示装置４００の撮像手段により撮像したデータをパネル制御回路２００内の撮像データ取得部２０１において取得する（図７（３））。ここでの撮像データの撮像領域は被投射物４０１に対する投射領域４０２を含む。領域抽出部２０２において、撮像データ取得部２０１で取得した撮像データから投射対象領域４０１、投射領域４０２を抽出する（図７（４））。領域比較部２０３において、領域抽出部２０２で抽出した投射対象領域４０１と投射領域４０２を比較する（図７（５））。
【００５６】
投射対象領域４０１が投射領域４０２より広い場合、すべての画素の画像データＶｄａｔａを書き換える。このとき終端電圧Ｖｔｔの値はＶｔｔ生成部２０５において、Ｈｉ電圧とＬｏｗ電圧の中間電圧値である標準電圧に設定される。一方、投射対象領域４０１が投射領域４０２より狭い場合、座標変換部２０４において非投射領域４０３の画素の座標を抽出する（図７（６））。
【００５７】
画像データ切り替え部２０３において、非投射領域４０３の画素の画像データＶｄａｔａをＬｏｗ電圧もしくはＨｉ電圧に書き換える（図７（７））。終端電圧Ｖｔｔ生成部２０５においてデータ電圧Ｖｄａｔａに対応したＬｏｗ電圧もしくはＨｉ電圧を生成し、選択する（図４、図７（８））。
【００５８】
このように、非投射領域４０３の画素の画像データＶｄａｔａと終端電圧Ｖｔｔの値を等しくすることで、画像データ入力部１４０における抵抗部両端の電位差により発生する不要な電力を削減することができ、省電力化することができる。
【００５９】
図１６は、画像データ切り替え部２０５の結果に応じて変化する画像データＶｄａｔａと終端電圧Ｖｔｔの関係を表す図である。図１６を用いて、第２の実施形態における画像データＶｄａｔａと終端電圧Ｖｔｔの関係について説明する。図１６（Ａ）は、本実施形態を実施する前の画像データＶｄａｔａと終端電圧Ｖｔｔの関係を表している。
【００６０】
本実施形態を実施する前については、画像データ切り替え部２０５において画像データＶｄａｔａの切り替えを行わず、図１６（Ａ）のように毎フレーム（Ｎフレーム、Ｎ＋１フレーム、Ｎ＋２フレーム・・・）、各画素の画像データＶｄａｔａをＨｉ電圧もしくはＬｏｗ電圧とすることで、画像データＶｄａｔａの書き替えを行う。ここで述べる１フレーム期間とは、例えば、液晶表示パネル１００をＸＧＡ解像度に対応する水平１０２４画素×垂直７６８画素とした場合、水平１０２４画素×垂直７６８画素全てのデータ電圧を入力する期間と定義する。
【００６１】
以上のように、画像データＶｄａｔａを書き替える画素はある値に設定された終端電圧Ｖｔｔに対して、画像データＶｄａｔａが大きいか、小さいかによって画像データ入力部１４０に入力する画像データＶｄａｔａを決定する。このとき画像データ入力部１４０の終端抵抗の両端に電力が発生する。
【００６２】
一方、本実施形態については、投射対象領域４０１が投射領域４０２に対して狭い場合に非投射領域４０３の画素の画像データに対して、画像データ切り替え部２０５において画像データＶｄａｔａの切り替えを行い、終端電圧Ｖｔｔ生成部２０６において終端電圧の切り替えを行う。図１６（Ｂ）のように毎フレーム（Ｎフレーム、Ｎ＋１フレーム、Ｎ＋２フレーム・・・）、各画素の画像データＶｄａｔａと終端電圧Ｖｔｔの電圧を等しくする。
【００６３】
これにより、画像データ入力部１４０の終端抵抗の両端の電位差により発生する電力をなくすことができる。このとき画像データ入力部１４０に入力される画像データＶｄａｔａは不定となるが、非投射領域４０３に投射される画像であるため、問題とならない。仮に問題となる場合には、ＳＷコントローラによる制御でアナログＳＷ１３３をオフすることにより、ランプ電圧生成回路３００から出力されるランプ電圧（ＲＶ）１３１をビデオ線１３４に印加させないようにする。
【００６４】
図６の基準電圧Ｖｒｅｆ生成部２０８から生成する基準電圧Ｖｒｅｆは、例えば画像データＶｄａｔａの最大値と最小値の中間電位とする。図６に示すように、終端電圧Ｖｔｔ生成部２０６から生成する終端電圧Ｖｔｔ及び基準電圧Ｖｒｅｆ生成部２０８から生成する基準電圧Ｖｒｅｆを画像データ入力部１４０に入力する。続いて、画像データ切り替え部２０５において、領域比較部２０３、座標変換部２０４の結果に基づいて画像データＶｄａｔａの切り替えを行う。切り替えた画像データＶｄａｔａはガンマ、色ムラ補正回路２０７において、ガンマや色ムラ補正を行う。
【００６５】
補正された画像データＶｄａｔａは画像データ入力部１４０に入力される。また、タイミング生成回路２０９において、各種駆動信号波形が生成される。生成された各種駆動信号波形はＨ駆動回路１１０、ランプ電圧（ＲＶ）生成回路３００、Ｖシフトレジスタ１２０に入力される。
【００６６】
ただし、本発明の第２の実施形態の電気光学表示装置の構成、投射型表示装置の構成、駆動方法、信号タイミングは、上記のものに限定しない。
【００６７】
（第３の実施形態）
以下、本発明の第３の実施形態について、図４、８、９、１６を参照しながら説明する。図８は、本実施形態に関わるパネル制御回路の構成を表すブロック図である。パネル制御回路２００において、パネルを駆動するために必要な各種駆動信号の生成や画像データＶｄａｔａの設定及び補正、終端電圧Ｖｔｔ／基準電圧Ｖｒｅｆの生成などを行う。図４は、本実施形態に関わる終端電圧Ｖｔｔ生成部の構成を表すブロック図である。図９は、本実施形態に関わるデータ電圧Ｖｄａｔａの設定フローを表す図である。
【００６８】
図８に示すように、まず投射型表示装置４００から被投射物４０１に映像を投射する（図９（１））。続いて、画像取得部２０１により、投射領域および投射対象領域の画像を取得する（図９（２））。領域抽出部２０２において、画像取得部２０１で取得した画像から投射対象領域４０１、投射領域４０２を抽出する（図９（３））。領域比較部２０３において、領域抽出部２０２で抽出した投射対象領域４０１と投射領域４０２を比較する（図９（４））。
【００６９】
投射対象領域４０１が投射領域４０２より広い場合、すべての画素の画像データＶｄａｔａを書き換える。このとき終端電圧Ｖｔｔの値はＶｔｔ生成部２０５において、Ｈｉ電圧とＬｏｗ電圧の中間電圧値である標準電圧に設定される。一方、投射対象領域４０１が投射領域４０２より狭い場合、座標変換部２０４において非投射領域４０３の画素の座標を抽出する（図９（５））。
【００７０】
非投射領域の画素については、画像データ切り替え部２０５からの信号でスイッチ２１０を制御し、画像データＶｄａｔａと終端電圧Ｖｔｔをショートさせることにより、非投射領域４０３の画素の画像データＶｄａｔａと終端電圧Ｖｔｔの値を等しくする（図９（６）（７））。
【００７１】
このように、非投射領域４０３の画素の画像データＶｄａｔａと終端電圧Ｖｔｔの値を等しくすることで、画像データ入力部１４０における抵抗部両端の電位差により発生する不要な電力を削減することができ、省電力化することができる。
【００７２】
図１６は、画像データ切り替え部２０５の結果に応じて変化する画像データＶｄａｔａと終端電圧Ｖｔｔの関係を表す図である。図１６を用いて、本実施形態における画像データＶｄａｔａと終端電圧Ｖｔｔの関係について説明する。図１６（Ａ）は、本実施形態を実施する前の画像データＶｄｔａと終端電圧Ｖｔｔの関係を表している。
【００７３】
本実施形態を実施する前については、画像データ切り替え部２０５において画像データＶｄａｔａの切り替えを行わず、図１６（Ａ）のように毎フレーム（Ｎフレーム、Ｎ＋１フレーム、Ｎ＋２フレーム・・・）、各画素の画像データＶｄａｔａをＨｉ電圧もしくはＬｏｗ電圧とすることで、画像データＶｄａｔａの書き替えを行う。
【００７４】
ここで述べる１フレーム期間とは、例えば、液晶表示パネル１００をＸＧＡ解像度に対応する水平１０２４画素×垂直７６８画素とした場合、水平１０２４画素×垂直７６８画素全てのデータ電圧を入力する期間と定義する。以上のように、画像データＶｄａｔａを書き替える画素はある値に設定された終端電圧Ｖｔｔに対して、画像データＶｄａｔａが大きいか、小さいかによって画像データ入力部１４０に入力する画像データＶｄａｔａを決定する。このときデータ電圧入力部１４０の終端抵抗の両端に電力が発生する。
【００７５】
一方、本発明の第３の実施形態については、投射対象領域４０１が投射領域４０２に対して狭い場合に非投射領域４０３の画素の画像データに対して、図１６（Ｂ）のように毎フレーム（Ｎフレーム、Ｎ＋１フレーム、Ｎ＋２フレーム・・・）、画像データ切り替え部２０５からの信号でスイッチ２１０を制御し、画像データＶｄａｔａと終端電圧Ｖｔｔをショートさせることにより、非投射領域の画素の画像データＶｄａｔａと終端電圧Ｖｔｔの値を等しくする。
【００７６】
これにより、画像データ入力部１４０の終端抵抗の両端の電位差により発生する電力をなくすことができる。このときデータ電圧入力部１４０に入力される画像データＶｄａｔａは不定となるが、非投射領域４０３に投射される画像であるため、問題とならない。仮に問題となる場合には、ＳＷコントローラによる制御でアナログＳＷ１３３をオフすることにより、ランプ電圧生成回路３００から出力されるランプ電圧（ＲＶ）１３１をビデオ線１３４に印加させないようにする。
【００７７】
図８の基準電圧Ｖｒｅｆ生成部２０８から生成する基準電圧Ｖｒｅｆは、例えば画像データＶｄａｔａの最大値と最小値の中間電位とする。図８に示すように、終端電圧Ｖｔｔ生成部２０６から生成する終端電圧Ｖｔｔ及び基準電圧Ｖｒｅｆ生成部２０８から生成する基準電圧Ｖｒｅｆを画像データ入力部１４０に入力する。
【００７８】
続いて、画像データ切り替え部２０５において、領域比較部２０３、座標変換部２０４の結果に基づいて画像データＶｄａｔａの切り替えを行う。切り替えた画像データＶｄａｔａはガンマ、色ムラ補正回路２０７において、ガンマや色ムラ補正を行う。補正された画像データＶｄａｔａは画像データ入力部１４０に入力される。また、タイミング生成回路２０９において、各種駆動信号波形が生成される。生成された各種駆動信号波形はＨ駆動回路１１０、ランプ電圧（ＲＶ）生成回路３００、Ｖシフトレジスタ１２０に入力される。
【００７９】
ただし、本実施形態の電気光学表示装置の構成、投射型表示装置の構成、駆動方法、信号タイミングは、上記のものに限定しない。
【００８０】
（第４の実施形態）
以下、本発明の第４の実施形態について図４、１０、１１、１２、１６を参照しながら説明する。図１０は、本実施形態に関わるパネル制御回路の構成を表すブロック図である。パネル制御回路２００において、パネルを駆動するために必要な各種駆動信号の生成や画像データＶｄａｔａの設定及び補正、終端電圧Ｖｔｔ／基準電圧Ｖｒｅｆの生成などを行う。
【００８１】
図４は、本実施形態に関わる終端電圧Ｖｔｔ生成部の構成を表すブロック図である。図１１は、本実施形態に関わるデータ電圧Ｖｄａｔａの設定フローを表す図である。図１２は、投射型表示装置の投射対象物に対する投射領域及び撮像領域を表す図である。
【００８２】
図１０に示すように、まず投射型表示装置４００から被投射物４０１に映像を投射する（図１１（１））。続いて、被投射物４０１を投射型表示装置４００の撮像手段により撮像する（図１１（２））。投射型表示装置４００の撮像手段により撮像したデータを、パネル制御回路２００内の撮像データ取得部２０１において取得する（図１１（３））。
【００８３】
ここでの撮像データの撮像領域は、被投射物４０１に対する投射領域４０２を含む。領域抽出部２０２において、撮像データ取得部２０１で取得した撮像データから投射対象領域４０１、投射領域４０２を抽出する（図１１（４））。領域比較部２０３において、領域抽出部２０２で抽出した投射対象領域４０１と投射領域４０２を比較する（図１１（５））。
【００８４】
投射対象領域４０１が投射領域４０２より広い場合、すべての画素の画像データＶｄａｔａを書き換える。このとき終端電圧Ｖｔｔの値はＶｔｔ生成部２０５において、Ｈｉ電圧とＬｏｗ電圧の中間電圧値である標準電圧に設定される。一方、投射対象領域４０１が投射領域４０２より狭い場合、座標変換部２０４において非投射領域４０３の画素の座標を抽出する（図９（５））。
【００８５】
非投射領域の画素については、画像データ切り替え部２０５からの信号でスイッチ２１０を制御し、画像データＶｄａｔａと終端電圧Ｖｔｔをショートさせることにより、非投射領域４０３の画素の画像データＶｄａｔａと終端電圧Ｖｔｔの値を等しくする（図１１（６）（７））。
【００８６】
このように、非投射領域４０３の画素の画像データＶｄａｔａと終端電圧Ｖｔｔの値を等しくすることで、画像データ入力部１４０における抵抗部両端の電位差により発生する不要な電力を削減することができ、省電力化することができる。
【００８７】
図１６は、画像データ切り替え部２０５の結果に応じて変化する画像データＶｄａｔａと終端電圧Ｖｔｔの関係を表す図である。図１６を用いて、本実施形態における画像データＶｄａｔａと終端電圧Ｖｔｔの関係について説明する。図１６（Ａ）は、本実施形態を実施する前の画像データＶｄｔａと終端電圧Ｖｔｔの関係を表している。
【００８８】
本実施形態を実施する前については、画像データ切り替え部２０５において画像データＶｄａｔａの切り替えを行わず、図１６（Ａ）のように毎フレーム（Ｎフレーム、Ｎ＋１フレーム、Ｎ＋２フレーム・・・）、各画素の画像データＶｄａｔａをＨｉ電圧もしくはＬｏｗ電圧とすることで、画像データＶｄａｔａの書き替えを行う。ここで述べる１フレーム期間とは、例えば、液晶表示パネル１００をＸＧＡ解像度に対応する水平１０２４画素×垂直７６８画素とした場合、水平１０２４画素×垂直７６８画素全てのデータ電圧を入力する期間と定義する。
【００８９】
以上のように、画像データＶｄａｔａを書き替える画素はある値に設定された終端電圧Ｖｔｔに対して、画像データＶｄａｔａが大きいか、小さいかによって画像データ入力部１４０に入力する画像データＶｄａｔａを決定する。このときデータ電圧入力部１４０の終端抵抗の両端に電力が発生する。
【００９０】
一方、本実施形態については、投射対象領域４０１が投射領域４０２に対して狭い場合に非投射領域４０３の画素の画像データに対して、図１６（Ｂ）のように毎フレーム（Ｎフレーム、Ｎ＋１フレーム、Ｎ＋２フレーム・・・）、画像データ切り替え部２０５からの信号でスイッチ２１０を制御し、画像データＶｄａｔａと終端電圧Ｖｔｔをショートさせることにより、非投射領域の画素の画像データＶｄａｔａと終端電圧Ｖｔｔの値を等しくする。
【００９１】
これにより、画像データ入力部１４０の終端抵抗の両端の電位差により発生する電力をなくすことができる。このときデータ電圧入力部１４０に入力される画像データＶｄａｔａは不定となるが、非投射領域４０３に投射される画像であるため、問題とならない。仮に問題となる場合には、ＳＷコントローラによる制御でアナログＳＷ１３３をオフすることにより、ランプ電圧生成回路３００から出力されるランプ電圧（ＲＶ）１３１をビデオ線１３４に印加させないようにする。
【００９２】
図１０の基準電圧Ｖｒｅｆ生成部２０８から生成する基準電圧Ｖｒｅｆは、例えば画像データＶｄａｔａの最大値と最小値の中間電位とする。図１０に示すように、終端電圧Ｖｔｔ生成部２０６から生成する終端電圧Ｖｔｔ及び基準電圧Ｖｒｅｆ生成部２０８から生成する基準電圧Ｖｒｅｆを画像データ入力部１４０に入力する。続いて、画像データ切り替え部２０５において、領域比較部２０３、座標変換部２０４の結果に基づいて画像データＶｄａｔａの切り替えを行う。
【００９３】
切り替えた画像データＶｄａｔａはガンマ、色ムラ補正回路２０７において、ガンマや色ムラ補正を行う。補正された画像データＶｄａｔａは画像データ入力部１４０に入力される。また、タイミング生成回路２０９において、各種駆動信号波形が生成される。生成された各種駆動信号波形はＨ駆動回路１１０、ランプ電圧（ＲＶ）生成回路３００、Ｖシフトレジスタ１２０に入力される。
【００９４】
ただし、本実施形態の電気光学表示装置の構成、投射型表示装置の構成、駆動方法、信号タイミングは、上記のものに限定しない。
【符号の説明】
【００９５】
１００  液晶表示パネル
１１０  Ｈ駆動回路
１１１  インプットデータレジスタ
１１２  データメモリ
１１３  データコンパレータ
１１４  ＳＷコントローラ
１２０  Ｖシフトレジスタ
１３０  表示領域
１３１  ランプ電圧（ＲＶ）
１３２  ＳＷ信号
１３３  アナログＳＷ
１３４  ビデオ線
１３５  水平走査線
１３６  画素トランジスタ
１３７  画素コンデンサ
１３８  液晶（ＬＣ）
１４０  画像データＶｄａｔａ入力部
２００  パネル制御回路
２０１  撮像データ取得部
２０２  領域抽出部
２０３  領域比較部
２０４  座標変換部
２０５  画像データ切り替え部
２０６  終端電圧Ｖｔｔ生成部
２０７  ガンマ、色ムラ補正回路
２０８  基準電圧Ｖｒｅｆ生成部
２０９  タイミング生成回路
２１０  スイッチ
３００  ランプ電圧生成回路
４００  投射型表示装置
４０１  被投射物、投射対象領域
４０２  投射領域、撮像領域
４０３  非投射領域
【図１】
2019078961.tif 000003
【図２】
2019078961.tif 000004
【図３】
2019078961.tif 000005
【図４】
2019078961.tif 000006
【図５】
2019078961.tif 000007
【図６】
2019078961.tif 000008
【図７】
2019078961.tif 000009
【図８】
2019078961.tif 000010
【図９】
2019078961.tif 000011
【図１０】
2019078961.tif 000012
【図１１】
2019078961.tif 000013
【図１２】
2019078961.tif 000014
【図１３】
2019078961.tif 000015
【図１４】
2019078961.tif 000016
【図１５】
2019078961.tif 000017
【図１６】
2019078961.tif 000018